(57)【要約】【課題】  イベント通知によって表示装置の画面が割り込み表示された後に、割り込み前の元の画面に容易に戻ることができる住宅設備監視システムを提供する。【解決手段】  表示装置ＣＶのＷｅｂブラウザ手段は、タブに各々対応させた複数のＷｅｂページを互いに重ねて表示部５２に表示するタブブラウザ５０ａで構成されており、監視または制御に関わるイベントが発生した場合、宅内機器は、当該イベントの発生を通知するイベント通知用Ｗｅｂページを表示装置ＣＶへ提供し、タブブラウザ５０ａは、既に表示部５２に表示しているＷｅｂページ上にタブに対応させたイベント通知用Ｗｅｂページを重ねて割り込み表示するとともに、ユーザが操作する画面遷移操作部を表示部５２に表示し、画面遷移操作部が操作された場合にはイベント通知用Ｗｅｂページを閉じる。【選択図】図１
2010211298.tif 000002
【特許請求の範囲】
【請求項１】
住宅内に設置されて住宅設備の監視または制御の少なくとも一方を行う１乃至複数の宅内機器と、当該宅内機器と伝送路を介して接続される１乃至複数の表示装置とを備え、
宅内機器は、監視または制御に関わる内容を含んだＷｅｂページを伝送路を介して表示装置に提供するＷｅｂサーバ機能を有し、
表示装置は、宅内機器との間でデータ通信を行う通信手段と、Ｗｅｂページを表示する表示手段と、通信手段を介して受信したＷｅｂページを表示手段に表示させるＷｅｂブラウザ手段とを具備する
住宅設備監視システムにおいて、
表示装置のＷｅｂブラウザ手段は、タブに各々対応させた複数のＷｅｂページを互いに重ねて表示手段に表示するタブブラウザで構成されており、
監視または制御に関わるイベントが発生した場合、宅内機器は、当該イベントの発生を通知するイベント通知用Ｗｅｂページを表示装置へ提供し、Ｗｅｂブラウザ手段は、既に表示手段に表示しているＷｅｂページ上にタブに対応させたイベント通知用Ｗｅｂページを重ねて割り込み表示するとともに、ユーザが操作する画面遷移操作部を表示手段に表示し、画面遷移操作部が操作された場合にはイベント通知用Ｗｅｂページを閉じる
ことを特徴とする住宅設備監視システム。
【請求項２】
前記表示装置は、前記Ｗｅｂブラウザ手段によって表示手段に表示されるＷｅｂページを生成するＷｅｂサーバ機能を有して、当該Ｗｅｂサーバ機能は、前記画面遷移操作部を含むＷｅｂページを生成し、Ｗｅｂブラウザ手段は、当該画面遷移操作部が操作されると、イベント通知用Ｗｅｂページを閉じることを特徴とする請求項１記載の住宅設備監視システム。
【請求項３】
前記Ｗｅｂブラウザ手段は、
任意のＷｅｂページを表示している前記表示手段にイベント通知用Ｗｅｂページを割り込み表示したときに前記画面遷移操作部が操作されると、イベント通知用Ｗｅｂページを閉じて前記任意のＷｅｂページを表示し、
Ｗｅｂページを表示していない前記表示手段にイベント通知用Ｗｅｂページを割り込み表示したときに前記画面遷移操作部が操作されると、イベント通知用Ｗｅｂページを閉じて予め決められた所定のＷｅｂページを表示する
ことを特徴とする請求項２記載の住宅設備監視システム。
【請求項４】
前記表示装置のＷｅｂサーバ機能は、
任意のＷｅｂページを表示している前記表示手段にイベント通知用Ｗｅｂページを割り込み表示するときには、操作時にイベント通知用Ｗｅｂページを閉じて前記任意のＷｅｂページを表示する画面遷移操作部を生成し、
Ｗｅｂページを表示していない前記表示手段にイベント通知用Ｗｅｂページを割り込み表示するときには、操作時にイベント通知用Ｗｅｂページを閉じて予め決められた所定のＷｅｂページを表示する画面遷移操作部を生成する
ことを特徴とする請求項２記載の住宅設備監視システム。
【請求項５】
前記宅内機器は、イベント通知用Ｗｅｂページに前記画面遷移操作部を含んで前記表示装置に提供し、前記Ｗｅｂブラウザ手段は、当該画面遷移操作部が操作されると、当該操作に対応して画面遷移先のＵＲＬを取得し、イベント通知用Ｗｅｂページを閉じて当該取得したＵＲＬのＷｅｂページを表示することを特徴とする請求項１記載の住宅設備監視システム。
【請求項６】
前記Ｗｅｂブラウザ手段は、
任意のＷｅｂページを表示している前記表示手段にイベント通知用Ｗｅｂページを割り込み表示したときに前記画面遷移操作部が操作されると、前記任意のＷｅｂページのＵＲＬを取得して、イベント通知用Ｗｅｂページを閉じて前記任意のＷｅｂページを表示し、
Ｗｅｂページを表示していない前記表示手段にイベント通知用Ｗｅｂページを割り込み表示したときに前記画面遷移操作部が操作されると、予め決められた所定のＷｅｂページのＵＲＬを取得して、イベント通知用Ｗｅｂページを閉じて予め決められた所定のＷｅｂページを表示する
ことを特徴とする請求項５記載の住宅設備監視システム。
【請求項７】
前記宅内機器は、
任意のＷｅｂページを表示している前記表示手段にイベント通知用Ｗｅｂページを提供するときは、操作時に前記任意のＷｅｂページのＵＲＬを取得する画面遷移操作部を生成し、
Ｗｅｂページを表示していない前記表示手段にイベント通知用Ｗｅｂページを提供するときは、操作時に予め決められた所定のＷｅｂページのＵＲＬを取得する画面遷移操作部を生成する
ことを特徴とする請求項５記載の住宅設備監視システム。
【請求項８】
前記Ｗｅｂブラウザ手段は、複数のイベント通知用Ｗｅｂページの各々にタブを対応させて表示するタブブラウザであり、前記宅内機器は、イベント通知用Ｗｅｂページをタブ指定情報とともに表示装置へ提供し、前記Ｗｅｂブラウザ手段は、複数のタブのうち、タブ指定情報で指定されたタブにイベント通知用Ｗｅｂページを対応させることを特徴とする請求項１乃至７いずれか記載の住宅設備監視システム。
【請求項９】
前記Ｗｅｂブラウザ手段は、複数のイベント通知用Ｗｅｂページの各々にタブを対応させて表示するタブブラウザであり、重要度が所定レベル以上のイベント発生を通知するイベント通知用Ｗｅｂページを未使用のタブに対応させて表示し、重要度が所定レベル未満のイベント発生を通知するイベント通知用Ｗｅｂページを使用中のタブに対応させて上書き表示することを特徴とする請求項１乃至７いずれか記載の住宅設備監視システム。
【請求項１０】
前記Ｗｅｂブラウザ手段は、複数のイベント通知用Ｗｅｂページの各々にタブを対応させて表示している場合、所定のイベントが発生した宅内機器から送信されるイベント通知信号によって指定されたタブに対応付けられているイベント通知用Ｗｅｂページを閉じることを特徴とする請求項８または９記載の住宅設備監視システム。
【発明の詳細な説明】
【技術分野】
【０００１】
本発明は、住宅内に設置された住宅設備、例えば、エアコンや照明器具や種々のセキュリティ機器などの監視を行う住宅設備監視システムに関するものである。
【背景技術】
【０００２】
従来より、エアコンや照明器具や種々のセキュリティ機器などの住宅設備の監視（或いは、監視と制御）を行う住宅設備監視システムが提供されている（例えば、特許文献１参照）。そして、かかる住宅設備監視システムは、住宅設備の監視（或いは、監視と制御）に関わる情報（例えば、エアコンや照明器具の動作状態、セキュリティ機器である火災感知器の動作状態など）を表示デバイス（ＣＲＴやＬＣＤ）に表示することで前記情報を認識し易くするものとして表示装置を備えている。
【０００３】
かかる表示装置は、ローカル機器及びセンタ装置の間でデータ通信を行う通信手段と、表示部と、該通信手段を介してローカル機器及びセンタ装置に備わったＷｅｂサーバが作成するＷｅｂコンテンツのＵＲＬにアクセスして受け取ったＷｅｂページを前記表示部で表示させる表示制御手段（Ｗｅｂブラウザ）とを備えている。そして、監視対象である住宅設備に何らかのイベント（例えば、火災感知器による火災発生検知など）が発生したとき、当該イベントに対する監視結果の情報（例えば、火災発生検知並びに火災発生の警報などのイベント通知）を含むＷｅｂページを受け取ると、当該Ｗｅｂページの画面を現在表示している画面に割り込み表示させる機能を備えている。
【先行技術文献】
【特許文献】
【０００４】
【特許文献１】特開２００７−２７２８６３号公報
【発明の概要】
【発明が解決しようとする課題】
【０００５】
表示装置において、イベント通知によって画面が割り込み表示されると、当該イベント通知の確認を行った後、割り込み前の元の画面に戻りたいという要望が高い。
【０００６】
例えば、表示装置においてアドレス設定画面Ｇ１（図７）を表示している最中に、来客ありのイベント通知が発生すると、表示装置はアドレス設定画面Ｇ１から来客通知画面Ｇ１１（図１４（ａ））に遷移し、さらにインターホンによる来客との通話が開始されると、来客通話中画面Ｇ１２に遷移する。
【０００７】
そして、ユーザがアドレス設定画面Ｇ１に戻ろうとして、Ｗｅｂブラウザのヒストリーバック機能を用いたとする。しかし、アドレス設定画面Ｇ１を供給するＷｅｂサーバがコネクション接続時間に制限を設けて、一定時間以上操作がなければ、ヒストリーバック機能による戻る操作ができないようにコネクションを切断する仕組みを搭載している場合には、ヒストリーバック機能を用いたユーザに「Ｎｏｔ  Ｆｏｕｎｄ（指定されたページが見つかりません）」という通知画面Ｇ１３を表示することになり、ユーザにとっては使い勝手が悪いものとなってしまう。
【０００８】
また、Ｗｅｂブラウザのキャッシュ機能を利用してヒストリーバックさせた場合には、状態が変化する画面については不具合が生じる。例えば、表示装置において、アドレス設定画面Ｇ１から来客通知画面Ｇ１１、来客通話中画面Ｇ１２に遷移した状態で、Ｗｅｂブラウザのキャッシュ機能を利用してヒストリーバックさせると、来客通話中画面Ｇ１２から来客通知画面Ｇ１１に遷移し、ユーザが求めているアドレス設定画面Ｇ１にはすぐに戻らず、ユーザにとっては使い勝手の悪いものとなる。
【０００９】
また、メタタグによってキャッシュの無効やキャッシュの時間制限を設定する等によって、ヒストリーバックが不可となった場合には、最新の画面を取得するか否かの判断のみが可能であって、所望の元の画面に戻ることはできなかった。
【００１０】
本発明は、上記事由に鑑みてなされたものであり、その目的は、イベント通知によって表示装置の画面が割り込み表示された後に、割り込み前の元の画面に容易に戻ることができる住宅設備監視システムを提供することにある。
【課題を解決するための手段】
【００１１】
請求項１の発明は、住宅内に設置されて住宅設備の監視または制御の少なくとも一方を行う１乃至複数の宅内機器と、当該宅内機器と伝送路を介して接続される１乃至複数の表示装置とを備え、宅内機器は、監視または制御に関わる内容を含んだＷｅｂページを伝送路を介して表示装置に提供するＷｅｂサーバ機能を有し、表示装置は、宅内機器との間でデータ通信を行う通信手段と、Ｗｅｂページを表示する表示手段と、通信手段を介して受信したＷｅｂページを表示手段に表示させるＷｅｂブラウザ手段とを具備する住宅設備監視システムにおいて、表示装置のＷｅｂブラウザ手段は、タブに各々対応させた複数のＷｅｂページを互いに重ねて表示手段に表示するタブブラウザで構成されており、監視または制御に関わるイベントが発生した場合、宅内機器は、当該イベントの発生を通知するイベント通知用Ｗｅｂページを表示装置へ提供し、Ｗｅｂブラウザ手段は、既に表示手段に表示しているＷｅｂページ上にタブに対応させたイベント通知用Ｗｅｂページを重ねて割り込み表示するとともに、ユーザが操作する画面遷移操作部を表示手段に表示し、画面遷移操作部が操作された場合にはイベント通知用Ｗｅｂページを閉じることを特徴とする。
【００１２】
この発明によれば、タブブラウザを用いて、イベント通知が発生した場合でも現在表示中の画面を閉じることなく、新しいタブに対応させたイベント通知用画面を表示中の画面に重ねて割り込み表示し、さらに画面遷移操作部によってイベント通知用画面のみを任意のタイミングで閉じることができる。したがって、コネクション接続時間の制限、キャッシュの無効、キャッシュの時間制限等によって使い勝手が悪化することなく、イベント通知によって表示装置の画面が割り込み表示された後に、割り込み前の元の画面に容易に戻ることができる。ユーザは、イベント発生後であっても、操作中であった元の画面に容易に戻ることができるので、操作を不必要に邪魔されることなく、ユーザビリティが高くなる。
【００１３】
請求項２の発明は、請求項１において、前記表示装置は、前記Ｗｅｂブラウザ手段によって表示手段に表示されるＷｅｂページを生成するＷｅｂサーバ機能を有して、当該Ｗｅｂサーバ機能は、前記画面遷移操作部を含むＷｅｂページを生成し、Ｗｅｂブラウザ手段は、当該画面遷移操作部が操作されると、イベント通知用Ｗｅｂページを閉じることを特徴とする。
【００１４】
この発明によれば、画面遷移操作部を表示装置側で生成するので、システム構成が簡便になる。
【００１５】
請求項３の発明は、請求項２において、前記Ｗｅｂブラウザ手段は、任意のＷｅｂページを表示している前記表示手段にイベント通知用Ｗｅｂページを割り込み表示したときに前記画面遷移操作部が操作されると、イベント通知用Ｗｅｂページを閉じて前記任意のＷｅｂページを表示し、Ｗｅｂページを表示していない前記表示手段にイベント通知用Ｗｅｂページを割り込み表示したときに前記画面遷移操作部が操作されると、イベント通知用Ｗｅｂページを閉じて予め決められた所定のＷｅｂページを表示することを特徴とする。
【００１６】
この発明によれば、画面消灯中の表示装置にイベント通知によって割り込み表示した場合でも、割り込み画面を閉じた後に違和感のない画面遷移を行うことができる。
【００１７】
請求項４の発明は、請求項２において、前記表示装置のＷｅｂサーバ機能は、任意のＷｅｂページを表示している前記表示手段にイベント通知用Ｗｅｂページを割り込み表示したときには、操作時にイベント通知用Ｗｅｂページを閉じて前記任意のＷｅｂページを表示する画面遷移操作部を生成し、Ｗｅｂページを表示していない前記表示手段にイベント通知用Ｗｅｂページを割り込み表示したときには、操作時にイベント通知用Ｗｅｂページを閉じて予め決められた所定のＷｅｂページを表示する画面遷移操作部を生成することを特徴とする。
【００１８】
この発明によれば、画面消灯中の表示装置にイベント通知によって割り込み表示した場合でも、割り込み画面を閉じた後に違和感のない画面遷移を行うことができる。
【００１９】
請求項５の発明は、請求項１において、前記宅内機器は、イベント通知用Ｗｅｂページに前記画面遷移操作部を含んで前記表示装置に提供し、前記Ｗｅｂブラウザ手段は、当該画面遷移操作部が操作されると、当該操作に対応して画面遷移先のＵＲＬを取得し、イベント通知用Ｗｅｂページを閉じて当該取得したＵＲＬのＷｅｂページを表示することを特徴とする。
【００２０】
この発明によれば、宅内機器が、表示装置のタブブラウザによる表示形態を意識することなく、ユーザにとって操作性のよい画面表示を提供することができる。
【００２１】
請求項６の発明は、請求項５において、前記Ｗｅｂブラウザ手段は、任意のＷｅｂページを表示している前記表示手段にイベント通知用Ｗｅｂページを割り込み表示したときに前記画面遷移操作部が操作されると、前記任意のＷｅｂページのＵＲＬを取得して、イベント通知用Ｗｅｂページを閉じて前記任意のＷｅｂページを表示し、Ｗｅｂページを表示していない前記表示手段にイベント通知用Ｗｅｂページを割り込み表示したときに前記画面遷移操作部が操作されると、予め決められた所定のＷｅｂページのＵＲＬを取得して、イベント通知用Ｗｅｂページを閉じて予め決められた所定のＷｅｂページを表示することを特徴とする。
【００２２】
この発明によれば、画面消灯中の表示装置にイベント通知によって割り込み表示した場合でも、割り込み画面を閉じた後に違和感のない画面遷移を行うことができる。
【００２３】
請求項７の発明は、請求項５において、前記宅内機器は、任意のＷｅｂページを表示している前記表示手段にイベント通知用Ｗｅｂページを提供するときは、操作時に前記任意のＷｅｂページのＵＲＬを取得する画面遷移操作部を生成し、Ｗｅｂページを表示していない前記表示手段にイベント通知用Ｗｅｂページを提供するときは、操作時に予め決められた所定のＷｅｂページのＵＲＬを取得する画面遷移操作部を生成することを特徴とする。
【００２４】
この発明によれば、画面消灯中の表示装置にイベント通知によって割り込み表示した場合でも、割り込み画面を閉じた後に違和感のない画面遷移を行うことができる。
【００２５】
請求項８の発明は、請求項１乃至７いずれかにおいて、前記Ｗｅｂブラウザ手段は、複数のイベント通知用Ｗｅｂページの各々にタブを対応させて表示するタブブラウザであり、前記宅内機器は、イベント通知用Ｗｅｂページをタブ指定情報とともに表示装置へ提供し、前記Ｗｅｂブラウザ手段は、複数のタブのうち、タブ指定情報で指定されたタブにイベント通知用Ｗｅｂページを対応させることを特徴とする。
【００２６】
この発明によれば、宅内機器が、表示装置のタブブラウザを制御することができ、ユーザに提供するＷｅｂコンテンツにより広がりを持たせることができる。
【００２７】
請求項９の発明は、請求項１乃至７いずれかにおいて、前記Ｗｅｂブラウザ手段は、複数のイベント通知用Ｗｅｂページの各々にタブを対応させて表示するタブブラウザであり、重要度が所定レベル以上のイベント発生を通知するイベント通知用Ｗｅｂページを未使用のタブに対応させて表示し、重要度が所定レベル未満のイベント発生を通知するイベント通知用Ｗｅｂページを使用中のタブに対応させて上書き表示することを特徴とする。
【００２８】
この発明によれば、重要度の低いイベント通知用Ｗｅｂページは、後から提供された他のイベント通知用Ｗｅｂページが上書きされるが、重要度の高いイベント通知用Ｗｅｂページは、後から提供された他のイベント通知用画面が上書きされることなく、ユーザが画面遷移操作部を操作するまで表示が継続するので、ユーザによる確認が確実に行われる。
【００２９】
請求項１０の発明は、請求項８または９において、前記Ｗｅｂブラウザ手段は、複数のイベント通知用Ｗｅｂページの各々にタブを対応させて表示している場合、所定のイベントが発生した宅内機器から送信されるイベント通知信号によって指定されたタブに対応付けられているイベント通知用Ｗｅｂページを閉じることを特徴とする。
【００３０】
この発明によれば、宅内機器が、表示装置のタブブラウザを制御することができ、ユーザに提供するＷｅｂコンテンツにより広がりを持たせることができる。
【発明の効果】
【００３１】
以上説明したように、本発明では、イベント通知によって表示装置の画面が割り込み表示された後に、割り込み前の元の画面に容易に戻ることができるという効果がある。
【図面の簡単な説明】
【００３２】
【図１】実施形態１における表示装置のブロック図である。
【図２】同上の外観正面図である。
【図３】同上のシステム構成図である。
【図４】同上における設備機器コントローラのブロック図である。
【図５】同上におけるセキュリティコントローラのブロック図である。
【図６】同上における画像転送コントローラのブロック図である。
【図７】同上におけるアドレス入力画面の平面図である。
【図８】同上におけるイベント通知用画面の平面図である。
【図９】同上における割り込み表示の平面図である。
【図１０】同上における全画面割り込み表示の平面図である。
【図１１】同上における画面消灯中の割り込み表示の平面図である。
【図１２】実施形態２における割り込み表示の概略図である。
【図１３】同上におけるイベント通知用画面を閉じた後の割り込み表示の概略図である。
【図１４】従来における割り込み表示の概略図である。
【発明を実施するための形態】
【００３３】
以下、住宅設備の監視だけでなく制御も行う住宅設備監視制御システムに用いた本発明の実施形態について、図面を参照して詳細に説明する。
【００３４】
（実施形態１）
本実施形態の表示装置を用いる住宅設備監視制御システムは、図３に示すように住宅内に設置された宅内機器であるコントローラＣ１，Ｃ１’，Ｃ２，Ｃ３が住宅設備の制御並びに監視を行う複数（図示例では３つ）のサブシステムＳＳ１，ＳＳ２，ＳＳ３と、各サブシステムＳＳｎのコントローラＣｎ（ｎ＝１，２，３）と伝送路（エンハンスト・カテゴリ５若しくはカテゴリ６のＬＡＮケーブル）を介して接続される統合管理装置ＴＭと、統合管理装置ＴＭにＬＡＮケーブルを介して接続される複数（図示例では、２つ）の端末装置（パーソナルコンピュータＰＣ並びに表示装置ＣＶ）とを備え、これら複数のコントローラＣｎと統合管理装置ＴＭと端末装置とが汎用の通信プロトコル（ＴＣＰ／ＩＰ、ＵＤＰ、ＨＴＴＰなど）を利用した宅内ネットワークを構成している。この宅内ネットワークは、100BASE-TX（IEEE802.3u）規格に準拠したローカルエリアネットワーク（ＬＡＮ）であって、ハブに相当する統合管理装置ＴＭに、ネットワーク端末に相当する各サブシステムＳＳｎのコントローラＣｎや端末装置（パーソナルコンピュータＰＣ並びに表示装置ＣＶ）などがスター配線で接続されている。更に統合管理装置ＴＭは、インターネットに接続するための回線の種類（電話回線、ＣＡＴＶ回線、光ファイバ回線など）に応じてＡＤＳＬモデムやケーブルモデム或いはＯＮＵ（Optical Network Unit）などのインターネット接続装置ＭＤと通信ケーブル（通常、ＬＡＮケーブル）によって接続され、インターネット接続装置ＭＤが介在することで宅内ネットワークが外部ネットワークたるインターネットに接続される。尚、この種のインターネット接続装置ＭＤは従来周知であるから詳細な構成についての図示並びに説明は省略する。
【００３５】
また、宅内ネットワークにはサービス提供会社の管理センター等に設置されたセンタ装置（センタサーバ）ＳＶがインターネットを通じて接続されており、後述するようにインターネットに接続可能なノート型のパーソナルコンピュータ、携帯電話機ＭＰ、ＰＤＡ（Personal Digital Assistance）等からなる携帯型の端末装置とセンタ装置ＳＶとの間でインターネットを介したデータ通信を行うことにより、例えば、携帯電話機ＭＰを使って外出先から住宅設備の制御や監視を行うことができる。センタ装置ＳＶは、ネットワーク機能を有する汎用のコンピュータ装置で構成されており、携帯電話機ＭＰ等の端末装置からインターネットを通じて送信されるコントローラＣｎ宛のメッセージやコントローラＣｎから宅内ネットワークに属さない端末装置宛に送信されるメッセージを中継する機能や各住戸からの情報統括を行う機能、更に天気情報、交通情報等の情報提供のためのＷｅｂサーバ機能を有している。但し、上述のようなインターネット接続機能を有する携帯型の端末装置やセンタ装置ＳＶのハードウェア構成は従来周知であるから、詳細な構成についての図示並びに説明は省略する。
【００３６】
さて本発明の実施形態である表示装置ＣＶは住宅内の壁面に埋込配設されるものであって、図１に示すようにマイコンを主構成要素とするマイコンからなる制御部５０と、宅内ネットワークのＬＡＮケーブルが接続され制御部５０と宅内ネットワークのインタフェースを行うＬＡＮ用の通信手段たる通信部５１と、液晶ディスプレイやドライブ回路からなる表示手段たる表示部５２と、押釦スイッチや表示部５２の画面上に配設されるタッチパネルを有し、ユーザの操作入力の情報を取り込む操作部５３と、マイコンで実行するプログラムや種々のデータを記憶するフラッシュメモリなどからなる不揮発性の記憶部５４と、スピーカとスピーカの駆動回路を有するスピーカ部５５とを備えている。
【００３７】
また、図示は省略しているが、商用電源から所望の直流電源を作成して制御部５０やその他の各部に動作電源を供給するための電源回路も備えている。
【００３８】
制御部５０には、タブブラウザ５０ａで構成されたＷｅｂブラウザ（Ｗｅｂブラウザ手段）が実装され、さらには予め記憶部５４に記憶しているＷｅｂページ（以下、内蔵Ｗｅｂページと呼ぶ。）をタブブラウザ５０ａに提供（配信）するＷｅｂサーバ機能を有している。そして、各コントローラＣｎ等から提供されるコンテンツを搭載したＷｅｂページ並びに予め記憶部５４に記憶している内蔵Ｗｅｂページをタブブラウザ５０ａで再生して表示部５２に表示するとともに、操作部５３のタッチパネルが操作された位置と表示部５２に表示されているアイコン等との位置関係に応じた操作入力情報を取り込む。
【００３９】
また、記憶部５４には予め警報音や音声メッセージのデータが圧縮して格納されており、制御部５０が必要に応じて記憶部５４から読み出したデータを伸長してスピーカ部５５に出力すれば、前記警報音や音声メッセージがスピーカから鳴動される。
【００４０】
また、表示装置ＣＶは、図２に示すように矩形箱形の合成樹脂成形品からなるハウジング５６の内部に上述した各部５０〜５５が収納されて構成されており、表示部５２の画面がハウジング５６前面の中央に配置されている。尚、表示部５２の画面には操作部５３が有するタッチパネル（透明であるから番号は付さない）が一体に設けられている。ハウジング５６前面の左寄りには、スピーカ部５５から鳴動する音をハウジング５６の外に放射するための多数の貫通孔５６ａが設けている。また、ハウジング５６前面の右寄りには、操作部５３が具備する複数の押釦スイッチ（図示せず）を押操作するための操作釦５３ａ，５３ｂ，５３ｃ，５３ｄが縦１列に並べて配設されている。尚、図示は省略するが、ハウジング５６の背面には通信部５１が有するモジュラジャックの差込口と、商用電源からの電源線が接続される端子部の電線挿入孔とが露出している。
【００４１】
一方システムでのネットワーク通信を統合管理する統合管理装置ＴＭは、ＬＡＮケーブルを介して、設備機器コントローラＣ１，Ｃ１’，Ｃ２，Ｃ３、パーソナルコンピュータＰＣ、表示装置ＣＶ等が接続されるとともに、インターネット接続装置ＭＤからインターネットを通じてセンタ装置ＳＶや携帯電話機ＭＰ、又は他のネット端末に接続しており、パケット処理機能、経路切換機能、ネットワークセキュリティ機能、ＵＰｎＰ（ユニバーサル・プラグ・アンド・プレイ）のコントロールポイントの機能等を有して、ネットワークにおけるデータ授受をコントロールしている。
【００４２】
サブシステムＳＳ１は、照明器具や空調機器（エアコン）並びに電気錠等の住宅設備（設備機器）Ｘｍ（ｍ＝１，２，…）と、設備機器Ｘｍの制御並びに監視を行うコントローラ（宅内機器であり、以下、設備機器コントローラと呼ぶ。）Ｃ１とを備えるとともに、住宅における使用電力量を計測し、該計測に基づいて所定の設備機器Ｘｍの制御を行う電力計測装置Ｄの監視を行う設備機器コントローラＣ１’を備えている。
【００４３】
設備機器コントローラＣ１は、図４に示すようにマイコンを主構成要素とする制御部１０と、宅内ネットワークのＬＡＮケーブルが接続され制御部１０と宅内ネットワークのインタフェースを行うＬＡＮ用の通信部１１と、日本電機工業会（JEMA）の統一規格に適合した設備機器Ｘ１（エアコンや給湯器など）と制御部１０のインタフェースを行うＨＡ（ホームオートメーション）用の機器インタフェース部（機器Ｉ／Ｆ部）１２と、マイコンで実行するプログラムや設備機器Ｘ１，Ｘ２の動作状態などの制御情報及び監視情報を記憶する記憶部１３とを備えている。また、図示は省略しているが、商用電源から所望の直流電源を作成して制御部１０やその他の各部に動作電源を供給するための電源回路、更に時刻計時を行う時計部をも備えている。
【００４４】
制御部１０は、通信部１１を通じて端末装置から制御要求のメッセージを受け取ったときに機器Ｉ／Ｆ部１２を介して各設備機器Ｘ１，Ｘ２を個別に制御して運転（照明器具Ｘ２の場合は点灯）と停止（照明器具Ｘ２の場合は消灯）を切り換え、通信部１１を通じて端末装置から監視要求のメッセージを受け取ったときに機器Ｉ／Ｆ部１２を介して各設備機器Ｘ１，Ｘ２の動作状態（運転＜点灯＞又は停止＜消灯＞）を個別に取得するとともに、制御要求や監視要求に対する応答（各設備機器Ｘ１，Ｘ２の動作状態）のメッセージを通信部１１より要求メッセージの送信元である端末装置に向けて送信させる機能（制御監視機能）を有する。
【００４５】
また、制御部１０は、自己の配下にある設備機器Ｘ１、Ｘ２の名称並びに動作状態を文字や記号で表示するための多数のＷｅｂページ群を保持しており、端末装置からＷｅｂページのＵＲＬに対するアクセスに応じてＷｅｂページ群の中から対応するＷｅｂページのデータを通信部１１より端末装置に提供（配信）するＷｅｂサーバ機能を有している。
【００４６】
設備機器コントローラＣ１’は、設備機器コントローラＣ１と基本的に同じ構成を有するので図示は省略するが、設備機器コントローラＣ１’では機器インタフェース部１２が電力計測装置Ｄと制御部１０とのインタフェースを行うようになっている。また制御部１０は電力計測装置Ｄが計測する設備機器Ｘｍ毎の電力使用量の履歴情報を記憶部１３で記憶させ、自己の配下にある設備機器Ｘ３、Ｘ４の名称並びに動作状態を文字や記号で表示するための多数のＷｅｂページや電力消費量の履歴情報に基づいて各月の機器毎の電力消費量の推移をグラフで表示するためのＷｅｂページを保持しており、端末装置からＷｅｂページのＵＲＬに対するアクセスに応じてＷｅｂページ群の中から対応するＷｅｂページのデータを通信部１１より端末装置に提供（配信）するＷｅｂサーバ機能を有している。
【００４７】
電力計測装置Ｄは、住宅盤に収納されている例えば各分岐ブレーカ（図示せず）からの分岐電力路に挿入されて分岐電力路に流れる電流を検出する電流センサ（カレントトランス）ＣＴ、電流センサＣＴで検出する電流と既知の電源電圧とに基づいてから分岐電力路に接続された設備機器Ｘｍ毎の使用電力を計測する機能、設備機器コントローラＣ１’の機器インタフェース部１２を介して制御部１０との間でデータ通信を行うためのインタフェース機能、更に日本電機工業会の統一規格に適合した設備機器Ｘ３，Ｘ４（エアコンや給湯器など）を接続するための機能と、計測する使用電力量の計測値が予め決められている上限値を超えた場合、設備機器コントローラＣ１の制御部１０に機器停止（電源オフ）指令を送信するか、或いは設備機器Ｘ３又はＸ４の電源をオフさせて電力の使い過ぎを防止する機能（デマンド制御機能）と、制御部１０から与えられる指令に応じて設備機器Ｘ３，Ｘ４の動作制御や状態監視を行う機能、更に計測する電力消費量の情報を設備機器コントローラＣ１’に与える機能を有している。尚電力量の計測対象として住戸全体の電力量を計測しても勿論良い。
【００４８】
また、サブシステムＳＳ２は、図３に示すように住宅内における異常発生を検知する１乃至複数種類のセキュリティ機器Ｙ１，Ｙ２と、各セキュリティ機器Ｙ１，Ｙ２の検知情報を収集するセキュリティ受信器ＳＲと、セキュリティ受信器ＳＲが収集した検知情報を受け取るとともに受け取った当該検知情報を応答メッセージにより宅内ネットワークを通じて伝送するコントローラ（宅内機器であり、以下、セキュリティコントローラと呼ぶ。）Ｃ２とで構成されるセキュリティシステムである。
【００４９】
セキュリティ機器Ｙ１は、例えば、人体から放射される熱線を検出することによる監視領域内への人の侵入検知や、窓に設置されているクレセント錠の施解錠検知、窓の開閉検知等を行う防犯用のセンサを具備し、センサで異常（人の侵入やクレセント錠の解錠等）を検知したときに当該検知情報を無線信号（若しくは有線信号）でセキュリティ受信器ＳＲに送信する機能を有している。また、セキュリティ機器Ｙ２は、煙や熱を検出することによる火災検知や都市ガス或いはＬＰガスを検出することによるガス漏れ検知等を行う防災用のセンサを具備し、センサで異常（火災発生やガス漏れ等）を検知したときに当該検知情報を無線信号（若しくは有線信号）でセキュリティ受信器ＳＲに送信する機能を有している。但し、上述のような機能を有するセキュリティ機器Ｙ１，Ｙ２については従来周知であるから、詳細な構成についての図示並びに説明は省略する。
【００５０】
セキュリティ受信器ＳＲは、セキュリティ機器Ｙ１，Ｙ２から送信された無線信号（若しくは有線信号）を受信することで検知情報を収集し、更に当該検知情報に対応した処理、例えば、火災やガス漏れや不審者の侵入等の異常発生を家人に知らせるために警報音を鳴動する処理を行うとともに検知された異常の種類や場所等の検知情報を無線信号（若しくは有線信号）でセキュリティコントローラＣ２に送信する処理を行う。
【００５１】
ここで、セキュリティ機器Ｙ１，Ｙ２には固有の識別符号（ＩＤ）が割り当てられており、セキュリティ受信器ＳＲでは当該識別符号によって個々のセキュリティ機器Ｙ１，Ｙ２の検知情報を識別可能となっている。また、セキュリティ受信器ＳＲは、上述のようにセキュリティ機器Ｙ１，Ｙ２から検知情報を収集する警戒状態と検知情報を収集しない非警戒状態の２つの動作状態があり、例えば、ワイヤレス送信機（図示せず）から送信されるワイヤレス信号によって警戒状態と非警戒状態の２つの動作状態が択一的に切り換えられる。但し、ワイヤレス送信機にも固有の識別符号が割り当てられており、予め登録されている識別符号以外の識別符号が割り当てられたワイヤレス送信機では動作状態の切換が行えないようになっている。尚、上述のような機能を有するセキュリティ受信器ＳＲについては従来周知であるから、詳細な構成についての図示並びに説明は省略する。
【００５２】
セキュリティコントローラＣ２は、図５に示すようにマイコンを主構成要素とする制御部３０と、宅内ネットワークのＬＡＮケーブルが接続され制御部３０と宅内ネットワークのインタフェースを行うＬＡＮ用の通信部３１と、セキュリティ受信器ＳＲとの間で無線（若しくは有線）によるデータ通信を行う通信部３２とを備えるとともに、ＬＥＤ等の発光素子で電源のオン／オフ状態や通信状態等を表示する表示手段および押釦スイッチ等を有する表示／操作部３４と、マイコンで実行するプログラムやセキュリティ機器Ｙ１，Ｙ２から収集した検知情報を記憶する記憶部３３とを備えている。また、図示は省略しているが、商用電源から所望の直流電源を作成して制御部３０やその他の各部に動作電源を供給するための電源回路も備えている。
【００５３】
制御部３０は、セキュリティ受信器ＳＲから通信部３２を介して受け取った検知情報を応答メッセージとして宅内ネットワーク（或いは宅内ネットワークと外部ネットワーク）を通じて端末装置に送信する機能（警報機能）や、端末装置から制御要求のメッセージを受け取ったときに通信部３２を介してセキュリティ受信器ＳＲにコマンド（切換指令）を送信してセキュリティ受信器ＳＲの動作状態（警戒状態又は非警戒状態）を切り換えたり、或いはセキュリティ受信器ＳＲによる警報音の鳴動を停止させたり、端末装置から監視要求のメッセージを受け取ったときに通信部３２を介してセキュリティ受信器ＳＲにコマンドを送信してセキュリティ受信器ＳＲの動作状態（警戒状態又は非警戒状態）を通知させるとともに、制御要求や監視要求に対する応答（セキュリティ受信器ＳＲの動作状態や警報音の鳴動状況等）のメッセージを通信部３１より要求メッセージの送信元である端末装置に向けて送信させる機能（制御監視機能）を有する。また、制御部３０は、自己の配下にあるセキュリティ受信器ＳＲの動作状態等を文字や記号で表示するための多数のＷｅｂページ群を保持しており、端末装置からＷｅｂページのＵＲＬに対するアクセスに応じてＷｅｂページ群の中から対応するＷｅｂページのデータを通信部３１より端末装置に提供（配信）するＷｅｂサーバ機能を有している。
【００５４】
サブシステムＳＳ３は、図３に示すように住戸外に設置されるカメラ付きドアホン子器（以下、ドアホン子器と略す。）ＤＳと、人体から放射される熱線を検出することで監視領域内への人の侵入を検知するとともに当該侵入検知時に監視領域を撮像するセンサカメラＳＣと、住戸内に設置されてドアホン子器ＤＳとの間で通話する通話機能並びにドアホン子器ＤＳ並びにセンサカメラＳＣで撮像された画像を表示する機能を有するインターホン親機ＩＭと、インターホン親機ＩＭよりドアホン子器ＤＳやセンサカメラＳＣで撮像された画像を受け取るとともに受け取った当該画像をセンタ装置ＳＶに外部ネットワークを通じて伝送するコントローラ（宅内機器であり、以下、画像転送コントローラと呼ぶ。）Ｃ３とで構成されるインターホンシステムである。
【００５５】
ドアホン子器ＤＳは、通話用のマイクロホン並びにスピーカや来訪者を撮像するためのカメラを具備し、マイクロホンで集音した通話音声をインターホン親機ＩＭに通話線を介して伝送し且つインターホン親機ＩＭから通話線を介して伝送される通話音声をスピーカから鳴動させる通話機能と、呼出釦が押操作されたときに通話線を介してインターホン親機ＩＭに呼出信号を送信する呼出機能と、カメラ（例えば、動画像を出力するＣＣＤカメラ）で撮像された画像を周波数変調して通話音声に多重化することで通話線を介してインターホン親機ＩＭに伝送する画像伝送機能とを有している。また、センサカメラＳＣは、人体から放射される熱線を検出することで監視領域内への人の侵入を検知する熱線センサや動画像を出力するＣＣＤカメラ等を具備し、信号線を介して監視領域の画像をドアホン子器ＤＳに伝送する機能を有している。尚、ドアホン子器ＤＳに伝送された画像は通話線を介してインターホン親機ＩＭに転送される。
【００５６】
一方、インターホン親機ＩＭは、全体の制御を行うマイコンや音声処理用のＤＳＰ、通話用のマイクロホン並びにスピーカや画像表示用の液晶ディスプレイ、画像や通話音声を記録する不揮発性の半導体メモリ等を具備し、呼出信号を受信したときにスピーカから呼出音を鳴動する機能と、呼出音の鳴動中又は鳴動後の一定時間内に応答釦が押操作されたときにドアホン子器ＤＳとの間に通話線を介した通話路を形成して通話音声を授受する通話機能と、通話中にドアホン子器ＤＳで撮像され且つ伝送される画像（通話相手を撮像した画像）を周波数復調して液晶ディスプレイに表示する機能と、通話中以外でドアホン子器ＤＳ又はセンサカメラＳＣで撮像され且つドアホン子器ＤＳから伝送される画像を周波数復調して液晶ディスプレイに表示する機能（画像モニタ機能）と、留守録設定中に呼出信号を受信した場合に通話線を介してドアホン子器ＤＳから伝送される画像並びに通話音声を不揮発性の半導体メモリに記録する機能（留守録機能）と、センサカメラＳＣで撮像され且つドアホン子器ＤＳより通話線を介して伝送された画像を不揮発性の半導体メモリに記録する機能（センサカメラ録画機能）と、ドアホン子器ＤＳで特定の操作（例えば、呼出釦の長押し）が行われた場合に通常の呼出音と区別可能な通知音で家人の帰宅を通知する機能（帰宅通知機能）とを有している。
【００５７】
而して、来訪者がドアホン子器ＤＳの呼出釦を押操作すると、常時有効である呼出機能によってインターホン親機ＩＭに通話線を介して呼出信号が伝送され、インターホン親機ＩＭにおいてスピーカから呼出音が鳴動されるとともに、通話線を介してインターホン親機ＩＭから電源が供給されることでドアホン子器ＤＳの画像伝送機能が有効になり、ドアホン子器ＤＳのカメラで撮像された画像がインターホン親機ＩＭの液晶ディスプレイに表示される。そして、液晶ディスプレイに表示された画像で来訪者を確認した家人がインターホン親機ＩＭの応答釦を押操作すれば、通話機能によりドアホン子器ＤＳとの間に通話線を介した通話路が形成されてインターホン親機ＩＭとドアホン子器ＤＳとの間においてスピーカとマイクロホンを使った拡声通話（ハンズフリー通話）が可能になるとともに、通話中においてはインターホン親機ＩＭの液晶ディスプレイにドアホン子器ＤＳから伝送される画像を表示させることが可能になる。但し、インターホン親機ＩＭとドアホン子器ＤＳとの間の拡声通話並びに画像伝送は、応答釦が押操作されてから所定時間が経過するか若しくは再度応答釦が押操作されたときに終了する。また、監視領域における不審者の侵入を検知するとセンサカメラＳＣが撮像した監視領域の画像がドアホン子器ＤＳ経由でインターホン親機ＩＭに伝送されて液晶ディスプレイに表示される。但し、上述のような機能を有するインターホン親機ＩＭ、ドアホン子器ＤＳ、センサカメラＳＣについては、従来周知であるから詳細な構成についての図示並びに説明を省略する。
【００５８】
画像転送コントローラＣ３は、図６に示すようにマイコンを主構成要素とする制御部４０と、宅内ネットワークのＬＡＮケーブルが接続され制御部４０と宅内ネットワークのインタフェースを行うＬＡＮ用の通信部４１と、インターホン親機ＩＭとの間で信号線を介したデータ通信を行う通信部４２と、ＬＥＤ等の発光素子で電源のオン／オフ状態や通信状態等を表示する表示手段と押釦スイッチ等を有する表示／操作部４４と、マイコンで実行するプログラムやインターホン親機ＩＭから信号線を通じて伝送されるデータ（画像データ及び通話音声データ）を記憶する記憶部４３とを備えている。
【００５９】
また、図示は省略しているが、商用電源から所望の直流電源を作成して制御部４０やその他の各部に動作電源を供給するための電源回路も備えている。
【００６０】
制御部４０は、ドアホン子器ＤＳ並びにセンサカメラＳＣからインターホン親機ＩＭに伝送された画像データ及び通話音声データをインターホン親機ＩＭから通信部４２を介して受け取るとともに受け取ったデータを所定の圧縮方式（例えば、動画像であればＭＰＥＧ４、静止画像であればＪＰＥＧ、音声であればＭＰ３など）で圧縮した後に応答メッセージとして宅内ネットワーク及び外部ネットワークを通じてセンタ装置ＳＶに転送する機能（転送機能）と、インターホン親機ＩＭの留守録機能が有効であるときにインターホン親機ＩＭが画像及び通話音声を記録した旨を宅内ネットワーク並びに外部ネットワークを通じてセンタ装置ＳＶに通知する機能（来客通知機能）と、帰宅通知機能によってインターホン親機ＩＭに家人の帰宅が通知されたときに宅内ネットワーク並びに外部ネットワークを通じてセンタ装置ＳＶに帰宅通知の応答メッセージを転送する機能（帰宅通知転送機能）とを有する。また、制御部４０は、記憶部４３に記録している画像の一覧等を開示する多数のＷｅｂページ群を保持しており、端末装置からＷｅｂページのＵＲＬに対するアクセスに応じてＷｅｂページ群の中から対応するＷｅｂページのデータを通信部４１より端末装置に提供（配信）するＷｅｂサーバ機能を有している。
【００６１】
また本システムでは、自ら撮像した画像を宅内ネットワーク経由で配信する機能（Ｗｅｂサーバ機能）を有した、いわゆるＷｅｂカメラＷＣがＬＡＮケーブルを介して統合管理装置ＴＭの通信ポートに接続されている（図３参照）。
【００６２】
そして、表示装置ＣＶが搭載するＷｅｂサーバ機能は、各コントローラＣｎがＷｅｂサーバ機能によって提供するＷｅｂページ（各サブシステムＳＳｎのホームページ）への入り口となるＷｅｂページ（いわゆるポータルサイト）を作成しており、表示装置ＣＶの起動時、スリープ状態からの再起動時には、タブブラウザ５０ａによって当該ポータルサイトが表示部５２に表示されている。すなわち、このポータルサイトの画面が表示装置ＣＶにおけるトップ画面となる。このポータルサイトでは、各コントローラＣｎで提供されるＷｅｂコンテンツ（各サブシステムＳＳｎのホームページ）へのリンクがアイコンで表示されており、何れかのアイコン上でタッチパネルが操作されれば、当該アイコンで表示されたリンク先のＵＲＬ（各コントローラＣｎが保有するＷｅｂページ群のＩＰアドレス）に対して表示装置ＣＶからＷｅｂページの送信要求メッセージが送信される。そして、送信要求メッセージを受信したコントローラＣｎが自己の保有するＷｅｂページ群の中から指定されたＷｅｂページを表示装置ＣＶに対して送信すれば、前記ポータルサイトに代わって当該コントローラＣｎのＷｅｂページ（例えば、各サブシステムＳＳｎのホームページ）が表示部５２に表示される。
【００６３】
なお、統合管理装置ＴＭにもＷｅｂサーバ機能が搭載されており、統合管理装置ＴＭにおいて上記ポータルサイトを作成し、宅内ネットワークを通じて住宅内の端末装置（パーソナルコンピュータＰＣや表示装置ＣＶ）に提供（配信）してもよい。
【００６４】
次に、表示装置ＣＶを使って設備機器Ｘｍの制御並びに監視を行う場合の動作を、説明する。
【００６５】
まず、表示装置ＣＶは、ネットワークを介して接続されているサブシステムＳＳ１〜ＳＳ３のホームページへのリンクを示すアイコンや個々のサブシステムＳＳ１〜ＳＳ３の名称を示す文字等を表示するポータルサイトのデータ（ファイル）を予め作成して記憶部５４に記憶しており、起動時、スリープ状態からの再起動時には、制御部５０が実行するタブブラウザ５０ａによってポータルサイトのデータを開くことにより、液晶ディスプレイからなる表示部５２にポータルサイトをトップ画面として表示する。そして、サブシステムＳＳ１のアイコン上でタッチパネルが操作されれば、当該アイコンで表示されたリンク先のＵＲＬをアクセスすることで、タブブラウザ５０ａによってＷｅｂページの送信要求メッセージが送信される。
【００６６】
そして、送信要求メッセージを受信した設備機器コントローラＣ１或いはＣ１’の制御部１０が自己の保有するＷｅｂページのデータを表示装置ＣＶに送信すれば、制御部５０で実行するタブブラウザ５０ａで当該データ（ファイル）を開くことによりサブシステムＳＳ１のＷｅｂページ（例えば、ホームページ）が表示部５２に表示される。このホームページでは、サブシステムＳＳ１に含まれる設備機器Ｘ１〜Ｘ４の名称と設置場所（例えば、「リビングのエアコン」，「リビングの照明」など）を示した文字、各設備機器Ｘ１〜Ｘ４の動作状態を示す文字、各設備機器Ｘ１〜Ｘ４の動作状態を反転させる操作に対応した釦等が表示され、これらの釦に各々他のＷｅｂページがリンクしている。従って、ホームページに表示される情報から各設備機器Ｘ１〜Ｘ４の動作状態を監視（確認）することができる。
【００６７】
ここで、何れかの設備機器Ｘｍの動作状態を反転させる制御、例えば、現在点灯している照明器具（設備機器Ｘ２）を消灯させる制御を行う場合、ホームページにおいて設備機器Ｘ４の動作状態を反転させる操作に対応した釦上でタッチパネルを操作する。
【００６８】
すると、タブブラウザ５０ａによって当該釦が操作されたことを示すメッセージ、つまり、照明器具（設備機器Ｘ２）の消灯制御を要求するメッセージ（要求メッセージ）が宅内ネットワークを通じて設備機器コントローラＣ１或いはＣ１’のネットワークアドレス宛に送信される。
【００６９】
そして、この要求メッセージを受け取った設備機器コントローラＣ１或いはＣ１’の制御部１０では、照明器具（設備機器Ｘ２）を消灯する制御処理を行う。その後、制御部１０は照明器具（設備機器Ｘ２）の消灯に対応したＷｅｂページのデータを表示装置ＣＶに送信し、表示装置ＣＶの制御部５０で実行するタブブラウザ５０ａで当該データ（ファイル）を開くことによりサブシステムＳＳ１の他のＷｅｂページが表示部５２に表示される。この表示された当該Ｗｅｂページでは、照明器具（設備機器Ｘ２）の動作状態が点灯から消灯に変更されている。
【００７０】
さらに表示装置ＣＶは、セキュリティコントローラＣ２、画像転送コントローラＣ３にも要求メッセージを送信してアクセスすることによって、対応するサブシステムＳＳ２，ＳＳ３のＷｅｂページを取得し、サブシステムＳＳ２，ＳＳ３の監視・制御を行うことができる。サブシステムＳＳ２，ＳＳ３の監視・制御の方法については上記サブシステムＳＳ１と略同様であるので、説明は省略する。
【００７１】
そして、サブシステムＳＳ１の何れかの設備機器Ｘｍ、サブシステムＳＳ２の何れかのセキュリティ機器Ｙｍ、サブシステムＳＳ３のインターホン親機ＩＭ、ドアホン子器ＤＳ、センサカメラＳＣにおいて監視または制御に関わるイベントが発生した場合、コントローラＣｎでは、Ｗｅｂサーバ機能によって、発生したイベントに応じてＷｅｂページ群の中から対応するイベント通知用Ｗｅｂページのデータを表示装置ＣＶに提供（配信）する。
【００７２】
表示装置ＣＶの制御部５０が実行するタブブラウザ５０ａは、取得したイベント通知用Ｗｅｂページを表示部５２に割り込み表示するのであるが、以下、このタブブラウザ５０ａによるイベント通知用Ｗｅｂページの割り込み表示について説明する。
【００７３】
タブブラウザとは、複数のＷｅｂページを表示する際に、各Ｗｅｂページをタブに対応付けて一つの画面上に重ねて表示するものであり、１つのタブブラウザを実行するのみで複数のＷｅｂページの夫々をタブで管理しながら１つの画面に表示できる。各Ｗｅｂページを閉じる場合には、タブを指定することによって、当該タブに対応付けられたＷｅｂページを閉じる処理が行われる。
【００７４】
まず、表示装置ＣＶでは、ユーザがネットワーク上の機器のアドレス設定をするために、図７に示すアドレス入力画面Ｇ１を表示部５２に表示しており、ユーザによる操作中であるとする。このアドレス入力画面Ｇ１は、表示装置ＣＶが予め記憶部５４に記憶している内蔵Ｗｅｂページであり、制御部５０のＷｅｂサーバ機能によって提供され、タブブラウザ５０ａを実行することによって、表示部５２に表示される。
【００７５】
この状態で、サブシステムＳＳ２側でセキュリティ機器Ｙ２が火災検知すると、セキュリティコントローラＣ２は、火災検知イベントが発生したとしてイベント通知用ＷｅｂページＰ２を表示装置ＣＶへ提供する。表示装置ＣＶの制御部５０が実行するタブブラウザ５０ａは、現時点で表示中のアドレス入力画面Ｇ１とは別のタブにイベント通知用画面Ｇ２を対応付け、図８に示すように、タイトルバーＴ２の下方にイベント通知用ＷｅｂページＰ２を配置したイベント通知用画面Ｇ２を生成する。ここで、タイトルバーＴ２は表示装置ＣＶのＷｅｂサーバ機能によって提供され、イベント通知用ＷｅｂページＰ２はセキュリティコントローラＣ２のＷｅｂサーバ機能によって提供されて、タイトルバーＴ２下方のインラインフレームにイベント通知用ＷｅｂページＰ２が配置される。
【００７６】
そして図９に示すように、この生成したイベント通知用画面Ｇ２を、表示中のアドレス入力画面Ｇ１に重ねて表示部５２に割り込み表示するとともに、制御部５０はスピーカ部５５から警報音を報知する。イベント通知用ＷｅｂページＰ２は、火災警報の発生をユーザに知らせる内容が記載され、さらには警報音を停止するための音停止ボタンＢ２が配置されている。また、イベント通知用ＷｅｂページＰ２の表示部５２内における位置、サイズは、提供元のセキュリティコントローラＣ２のＷｅｂサーバ機能によって設定されており、表示装置ＣＶのＷｅｂサーバ機能は、イベント通知用ＷｅｂページＰ２の位置、サイズに合わせてタイトルバーＴ２の位置、サイズを設定する。
【００７７】
さらに表示装置ＣＶのＷｅｂサーバ機能は、タイトルバーＴ２に「操作中画面へ」と表示された画面遷移ボタンＢｔ２（画面遷移操作部）をタッチパネル操作可能に配置している。そして、ユーザによって画面遷移ボタンＢｔ２を押下されると、表示装置ＣＶのタブブラウザ５０ａはイベント通知用画面Ｇ２を閉じて、表示部５２にはアドレス入力画面Ｇ１のみを表示する。
【００７８】
ユーザは、イベント通知によって画面が割り込み表示されると、当該イベント通知の確認を行った後、割り込み前の元の画面に戻りたいという要望が高い。そこで本実施形態では、上記のようにタブブラウザ５０ａを用いて、イベント通知が発生した場合でも現在表示中の画面を閉じることなく、新しいタブに対応させたイベント通知用画面を表示中の画面に重ねて割り込み表示し、さらに画面遷移ボタンＢｔによってイベント通知用画面のみを閉じる構成を備えている。したがって、コネクション接続時間の制限、キャッシュの無効、キャッシュの時間制限等によって使い勝手が悪化することなく、イベント通知によって表示装置ＣＶの画面が割り込み表示された後に、割り込み前の元の画面に容易に戻ることができる。ユーザは、イベント発生後であっても、操作中であった元の画面に容易に戻ることができるので、操作を不必要に邪魔されることなく、ユーザビリティが高くなる。
【００７９】
しかしながら、イベント通知用ＷｅｂページＰ２の種類によっては、図１０に示すように、割り込み表示するときに表示部５２の全面と略同一のサイズに形成されるものがある。例えば、イベント通知用画面Ｇ２の音停止ボタンＢ２が押下された場合、状況確認のための機器状態一覧画面（図示なし）に遷移するが、この機器状態一覧画面中のＷｅｂページ（イベント通知用Ｗｅｂページ）が全画面表示となる。しかしながら、画面遷移ボタンＢｔ２を配置したタイトルバーＴ２が表示部５２の表示範囲から外れてしまい、画面遷移ボタンＢｔ２の操作ができなくなって元の画面に戻ることができない。
【００８０】
そこで、セキュリティコントローラＣ２のＷｅｂサーバ機能は、表示部５２の全面と略同一のサイズに形成されるイベント通知用ＷｅｂページＰ２に、「操作中画面へ」と表示された画面遷移ボタンＢｃ（画面遷移操作部）をタッチパネル操作可能に配置している。そして、ユーザによって画面遷移ボタンＢｃを押下されると、表示装置ＣＶのタブブラウザ５０ａは、セキュリティコントローラＣ２のＷｅｂサーバ機能にアクセスし、セキュリティコントローラＣ２のＷｅｂサーバ機能はアドレス入力画面Ｇ１のＵＲＬ情報を表示装置ＣＶへ返信する。アドレス入力画面Ｇ１のＵＲＬ情報をセキュリティコントローラＣ２から取得した表示装置ＣＶのタブブラウザ５０ａは、アドレス入力画面Ｇ１に遷移すると判断して、イベント通知用画面Ｇ２を閉じ、表示部５２にはアドレス入力画面Ｇ１のみを表示する。
【００８１】
したがって、サブシステムＳＳｎ側であるコントローラＣｎが、表示装置ＣＶのタブブラウザ５０ａによる表示形態を意識することなく、ユーザにとって操作性のよい画面表示を提供することができる。なお、タブブラウザ５０ａは、ユーザによって画面遷移ボタンＢｃを押下されると、セキュリティコントローラＣ２からアドレス入力画面Ｇ１のＵＲＬ情報を取得する形態以外に、表示装置ＣＶが具備する図示しないメモリからアドレス入力画面Ｇ１のＵＲＬ情報を取得する形態であってもよい。
【００８２】
また、表示装置ＣＶは、上記アドレス入力画面Ｇ１のような操作画面を表示している最中にイベント通知用画面Ｇ２を割り込み表示する以外に、表示部５２を消灯して何も表示していないスリープ状態からイベント通知用画面Ｇ２を割り込み表示する場合がある。このような場合、イベント通知用画面Ｇ２を閉じた後に遷移する画面は、各サブシステムＳＳｎのホームページへの入り口となるポータルサイトのＷｅｂページ（トップ画面）となる。
【００８３】
そこで、図１１に示すように、画面消灯中の表示装置ＣＶのＷｅｂサーバ機能は、イベント通知用画面Ｇ２を割り込み表示する際に、タイトルバーＴ２に「トップへ戻る」と表示された画面遷移ボタンＢｔ２ａ（画面遷移操作部）をタッチパネル操作可能に配置している。そして、ユーザによって画面遷移ボタンＢｔ２ａを押下されると、表示装置ＣＶのタブブラウザ５０ａはイベント通知用画面Ｇ２を閉じて、表示部５２にはトップ画面のみを表示する。
【００８４】
したがって、画面消灯中の表示装置ＣＶにイベント通知によって割り込み表示した場合でも、割り込み画面を閉じた後に違和感のない画面遷移を行うことができる。
【００８５】
なお、上記例における表示装置ＣＶのＷｅｂサーバ機能は、アドレス入力画面Ｇ１のような操作画面を表示している最中にイベント通知用画面Ｇ２を割り込み表示する場合には、「操作中画面へ」と表示されて、押下されるとイベント通知用画面Ｇ２を閉じて元の操作画面を表示する画面遷移ボタンＢｔ２を生成している。また、画面消灯中の表示装置ＣＶにイベント通知用画面Ｇ２を割り込み表示する場合には、「トップへ戻る」と表示されて、押下されるとイベント通知用画面Ｇ２を閉じて所定のトップ画面を表示する画面遷移ボタンＢｔ２ａを生成している。すなわち、表示装置ＣＶのＷｅｂサーバ機能は、割り込み表示するときの表示部５２の状況（点灯中・消灯中）に応じた２つの画面遷移ボタンを準備していた。
【００８６】
しかし、表示装置ＣＶのＷｅｂサーバ機能は、イベント通知用画面Ｇ２を割り込み表示する場合、表示部５２の状況（点灯中・消灯中）に関わらず、常に、「戻る」と表示された１つの画面遷移ボタンのみを生成してもよい。この場合、タブブラウザ５０ａは、アドレス入力画面Ｇ１のような操作画面を表示している最中にイベント通知用画面Ｇ２を割り込み表示したときに、この画面遷移ボタンが操作されると、イベント通知用画面Ｇ２を閉じて元の操作画面を表示するように画面制御する。また、画面消灯中の表示装置ＣＶにイベント通知用画面Ｇ２を割り込み表示したときに、この画面遷移ボタンが操作されると、イベント通知用画面Ｇ２を閉じて所定のトップ画面を表示するように画面制御する。
【００８７】
さらに、コントローラＣｎのＷｅｂサーバ機能も、アドレス入力画面Ｇ１のような操作画面を表示している表示装置ＣＶにイベント通知用ＷｅｂページＰ２を提供するときには、操作時にコントローラＣｎのＷｅｂサーバ機能にアクセスして、元の操作画面のＵＲＬを取得する画面遷移ボタンＢｃを生成し、画面消灯中の表示装置ＣＶにイベント通知用ＷｅｂページＰ２を提供するときには、操作時にコントローラＣｎのＷｅｂサーバ機能にアクセスして所定のトップ画面のＵＲＬを取得する画面遷移ボタンＢｃを生成してもよい。すなわち、コントローラＣｎのＷｅｂサーバ機能は、割り込み表示するときの表示部５２の状況（点灯中・消灯中）に応じた２つの画面遷移ボタンを準備してもよい。
【００８８】
あるいは、コントローラＣｎのＷｅｂサーバ機能は、表示装置ＣＶにイベント通知用ＷｅｂページＰ２を提供するときは、表示部５２の状況（点灯中・消灯中）に関わらず、常に、「戻る」と表示された１つの画面遷移ボタンのみを生成してもよい。この場合、タブブラウザ５０ａは、アドレス入力画面Ｇ１のような操作画面を表示している最中にイベント通知用画面Ｇ２を割り込み表示したときに、この画面遷移ボタンが操作されると、コントローラＣｎのＷｅｂサーバ機能にアクセスして元の操作画面のＵＲＬを取得し、イベント通知用画面Ｇ２を閉じて元の操作画面を表示するように画面制御する。また、画面消灯中の表示装置ＣＶにイベント通知用画面Ｇ２を割り込み表示したときに、この画面遷移ボタンが操作されると、コントローラＣｎのＷｅｂサーバ機能にアクセスして所定のトップ画面のＵＲＬを取得し、イベント通知用画面Ｇ２を閉じて所定のトップ画面を表示するように画面制御する。
【００８９】
また、割り込み表示されるイベント通知用画面の数は１つに限定されない。コントローラＣｎはイベント発生の数だけイベント通知用Ｗｅｂページを表示装置ＣＶに提供し、表示装置ＣＶのＷｅｂサーバ機能は各イベント通知用Ｗｅｂページを用いてイベント通知用画面を作成し、タブブラウザ５０ａは、各イベント通知用画面を１つのタグに対応付けて割り込み表示する。この場合、複数のイベント通知用画面は、イベントの発生順に重ねて表示される。
【００９０】
（実施形態２）
本実施形態の表示装置を用いる住宅設備監視制御システムは、実施形態１と同様の構成を備えるが、イベント発生時にコントローラＣｎが提供するイベント通知用Ｗｅｂページにタブ指定情報を付加した点が実施形態１と異なる。
【００９１】
まず、表示装置ＣＶのタブブラウザ５０ａは複数のタブを有しており、各タブにはタブ番号１〜Ｎが各々割り付けられている、そしてタブ指定情報は、表示装置ＣＶに提供するイベント通知用Ｗｅｂページを対応付けるタブ番号の情報である。そして、表示装置ＣＶのタブブラウザ５０ａは、イベント発生時にコントローラＣｎから取得したイベント通知用Ｗｅｂページを用いて作成したイベント通知用画面を割り込み表示する際に、当該イベント通知用Ｗｅｂページに付加されたタブ番号に対応付ける。
【００９２】
例えば図１２に示すように、表示装置ＣＶでは、ユーザがネットワーク上の機器のアドレス設定をするために、アドレス入力画面Ｇ１を表示部５２に表示しており、ユーザによる操作中であるとする。この状態で、サブシステムＳＳ２側でセキュリティ機器Ｙ２が火災検知すると、セキュリティコントローラＣ２は、火災検知イベントが発生したとしてイベント通知用ＷｅｂページＰ２を、タブ番号「１」を示すタブ指定情報とともに表示装置ＣＶへ提供する。表示装置ＣＶの制御部５０が実行するタブブラウザ５０ａは、現時点で表示中のアドレス入力画面Ｇ１とは別にタブ番号「１」にイベント通知用画面Ｇ２を対応付け、タイトルバーＴ２の下方にイベント通知用ＷｅｂページＰ２を配置したイベント通知用画面Ｇ２を生成し、表示中のアドレス入力画面Ｇ１に重ねて表示部５２に割り込み表示するとともに、制御部５０はスピーカ部５５から警報音を報知する。
【００９３】
そして、この状態で、サブシステムＳＳ２側でセキュリティ機器Ｙ１が侵入者検知すると、セキュリティコントローラＣ２は、侵入者検知イベントが発生したとしてイベント通知用ＷｅｂページＰ３を、タブ番号「２」を示すタブ指定情報とともに表示装置ＣＶへ提供する。表示装置ＣＶの制御部５０が実行するタブブラウザ５０ａは、現時点で表示中のアドレス入力画面Ｇ１およびイベント通知用画面Ｇ２とは別に、タブ番号「２」にイベント通知用画面Ｇ３を対応付け、タイトルバーＴ３の下方にイベント通知用ＷｅｂページＰ３を配置したイベント通知用画面Ｇ３を生成し、表示中のアドレス入力画面Ｇ１、イベント通知用画面Ｇ２に重ねて表示部５２に割り込み表示するとともに、制御部５０はスピーカ部５５から警報音を報知する（イベント通知用画面Ｇ２による警報音が継続してもよい）。イベント通知用ＷｅｂページＰ３は、防犯警報の発生をユーザに知らせる内容が記載され、さらには警報音を停止するための音停止ボタンＢ３が配置されている。
【００９４】
また、コントローラＣｎは、表示装置ＣＶに提供したイベント通知用Ｗｅｂページに対応付けたタブ番号を把握しており、サブシステムＳＳ２側で侵入者検知イベントによる異常が解除された場合、セキュリティコントローラＣ２は異常解除のイベント通知を、タブ番号「２」を示すタブ指定情報とともに表示装置ＣＶへ送信する。異常解除のイベント通知を受信した表示装置ＣＶは、異常解除のイベント通知に付加されたタブ番号「２」のイベント通知用画面Ｇ３を閉じる（図１３参照）。
【００９５】
また、コントローラＣｎが提供するイベント通知用Ｗｅｂページに優先度情報を付加してもよい。表示装置ＣＶは、コントローラＣｎから複数のイベント通知用Ｗｅｂページが提供されて、これら複数のイベント通知用Ｗｅｂページを重ねて割り込み表示する場合に、優先度情報の高いイベント通知用Ｗｅｂページを用いたイベント通知用画面ほど上位レイヤーに表示することによって、優先度の高い割り込み画面を目立たせることができ、ユーザビリティが向上する。
【００９６】
このように、サブシステムＳＳｎ側であるコントローラＣｎが、表示装置ＣＶのタブブラウザ５０ａを制御することができ、ユーザに提供するＷｅｂコンテンツにより広がりを持たせることができる。
【００９７】
なお、タブ番号は、発生するイベント毎に異なる番号に割り付ける以外に、サブシステムＳＳｎ毎に異なる番号に割り付けてもよい。
【００９８】
また、コントローラＣｎのＷｅｂサーバ機能では、発生するイベント毎に重要度のレベルを考慮してもよい。各イベントには予め重要度のレベルが設定されており、重要度が所定レベル以上のイベント発生時に提供されるイベント通知用Ｗｅｂページには、所定のタブ番号を予め割り付け、このタブ番号は他のイベント通知用Ｗｅｂページに割り付けられることはない。すなわち、重要度の高いイベント通知用Ｗｅｂページには、専用のタブ番号が割り付けられるのである。
【００９９】
一方、重要度が所定レベル未満のイベント発生時に提供されるイベント通知用Ｗｅｂページにも、所定のタブ番号が予め割り付けるが、このタブ番号は他の重要度の低いイベント通知用Ｗｅｂページと同じタブ番号が重複している。すなわち、重要度の低いイベント通知用Ｗｅｂページには、共用のタブ番号が割り付けられるのである。
【０１００】
而して、表示装置ＣＶのタブブラウザ５０ａは、重要度が所定レベル以上のイベント発生を通知するイベント通知用Ｗｅｂページを未使用のタブに対応させて表示し、重要度が所定レベル未満のイベント発生を通知するイベント通知用Ｗｅｂページを使用中のタブに対応させて上書き表示する。
【０１０１】
したがって、重要度の低いイベント通知用Ｗｅｂページを用いたイベント通知用画面は、同じタブ番号を用いた他のイベントが後から発生すると、後から提供された他のイベント通知用画面が上書きされる。重要度の高いイベント通知用Ｗｅｂページを用いたイベント通知用画面は、後から提供された他のイベント通知用画面が上書きされることなく、ユーザが画面遷移ボタンを押下するまで表示が継続するので、ユーザによる確認が確実に行われる。
【符号の説明】
【０１０２】
ＣＶ  表示装置
５０  制御部
５０ａ  タブブラウザ
５１  通信部
５２  表示部
５３  操作部
５４  記憶部
５５  スピーカ部
【図１】
2010211298.tif 000003
【図２】
2010211298.tif 000004
【図３】
2010211298.tif 000005
【図４】
2010211298.tif 000006
【図５】
2010211298.tif 000007
【図６】
2010211298.tif 000008
【図７】
2010211298.tif 000009
【図８】
2010211298.tif 000010
【図９】
2010211298.tif 000011
【図１０】
2010211298.tif 000012
【図１１】
2010211298.tif 000013
【図１２】
2010211298.tif 000014
【図１３】
2010211298.tif 000015
【図１４】
2010211298.tif 000016